(57)【要約】      （修正有）【課題】テーブル側から宝石を見た場合に表れる模様をシャープとすることができる宝石を提供する。【解決手段】上面にテーブルＴを有するクラウン１０’と、下方に向けて突出状とした略錘形状のパビリオン２０’と、このパビリオンと前記クラウン１０’との間に位置したガードルＧとを有する宝石において、ガードルＧは、クラウン１０’の下端縁である上部境界線と、パビリオン２０’の上端縁である下部境界線とを互いに略平行に配置するとともに、周方向に対して上下に蛇行させて配置する。特に、ガードルＧは上下にジグザグ状に蛇行させる。パビリオン２０’には、下端側からガードル側に順次カットを行って所要のファセット２１を形成する。【選択図】図１１
2006218163.tif 000002
【特許請求の範囲】
【請求項１】
上面にテーブルを有するクラウンと、下方に向けて突出状とした略錘形状のパビリオンと、このパビリオンと前記クラウンとの間に位置したガードルとを有する宝石において、
前記ガードルは、前記クラウンの下端縁である上部境界線と、前記パビリオンの上端縁である下部境界線とを互いに略平行に配置するとともに、周方向に対して上下に蛇行させて配置したことを特徴とする宝石。
【請求項２】
前記ガードルは、上下にジグザグ状に蛇行させていることを特徴とする請求項１記載の宝石。
【請求項３】
前記パビリオンには、下端側から前記ガードル側に順次カットを行って所要のファセットを形成したことを特徴とする請求項１または請求項２に記載の宝石。
【請求項４】
前記パビリオンには、下端に８つの第１ファセットを放射状に形成し、次いで隣接した前記第１ファセットの間に２つの第２ファセットをそれぞれ形成し、次いで隣接した２つの前記第２ファセットによって形成される稜線部分を研磨して第３ファセットをそれぞれ形成し、次いで、隣接した前記第３ファセットの間に第４ファセットをそれぞれ形成し、次いで前記第３ファセットと前記第４ファセットの間にロアーガードルファセットをそれぞれ形成して、このロアーガードルファセットの上端縁によって前記下部境界線を形成したことを特徴とする請求項１または請求項２に記載の宝石。
【請求項５】
前記クラウンには、前記テーブルを取り囲むように１６の略三角形のベゼルファセットを形成し、次いで隣接した前記ベゼルファセットの間にそれぞれ２つのアッパーガードルファセットを形成して、このアッパーガードルファセットの下端縁によって前記上部境界線を形成したことを特徴とする請求項１〜４のいずれか１項に記載の宝石。
【発明の詳細な説明】
【技術分野】
【０００１】
本発明は宝石に関するものであり、天然のダイヤモンドなどの宝石だけでなく、キュービックジルコニアなどの再結晶宝石を含めた宝石に関するものである。
【背景技術】
【０００２】
従来、宝石は所要の原石を宝石職人が適宜にカットして所定のファセットを形成することによりその宝石の輝き、分散、きらめきを最も効果的に引き出すことが行われており、たとえばダイヤモンドにおけるブリリアンカットや、エメラルドにおけるエメラルドカットなどのような経験に基づいたカットの種類が知られている。
【０００３】
昨今では、有色の輝きを発揮させることができるカラーダイヤモンドの提供が試みられており、特殊な寸法、あるいはカットに基づいた宝石の提供が行われている（例えば、特許文献１参照。）。
【特許文献１】特開２００３−１１１６０６号公報
【発明の開示】
【発明が解決しようとする課題】
【０００４】
しかしながら、たとえばブリリアンカットにおいてテーブル側から宝石を見た場合に表れる模様がシャープさに欠ける場合があるという不具合があった。ここで、ブリリアンカットの宝石をテーブル側から見た場合に表れる模様とは、特殊な光学スコープ用いてテーブル面を観察した場合に表れる模様であって、例えば有名な「ハート＆キューピット」の「アロー形状」などのような模様であり、このような模様が不鮮明になる場合があるという問題があった。
【０００５】
本発明者は、このようにテーブル面から見た場合に表れる模様を常にシャープに表示可能とすべく研究を行い、本発明を成すに至ったものである。
【課題を解決するための手段】
【０００６】
本発明の宝石では、上面にテーブルを有するクラウンと、下方に向けて突出状とした略錘形状のパビリオンと、このパビリオンとクラウンとの間に位置したガードルとを有する宝石において、クラウンの下端縁である上部境界線と、パビリオンの上端縁である下部境界線とを互いに略平行に配置するとともに、周方向に対して上下に蛇行させたガードルを設けた。
【０００７】
さらに、以下の点にも特徴を有するものである。すなわち、
（１）ガードルは上下にジグザグ状に蛇行させていること。
（２）パビリオンには、下端側からガードル側に順次カットを行って所要のファセットを形成したこと。
（３）パビリオンには、下端に８つの第１ファセットを放射状に形成し、次いで隣接した第１ファセットの間に２つの第２ファセットをそれぞれ形成し、次いで隣接した２つの第２ファセットによって形成される稜線部分を研磨して第３ファセットをそれぞれ形成し、次いで、隣接した第３ファセットの間に第４ファセットをそれぞれ形成し、次いで第３ファセットと第４ファセットの間にロアーガードルファセットをそれぞれ形成して、このロアーガードルファセットの上端縁によって下部境界線を形成したこと。
（４）クラウンには、テーブルを取り囲むように１６の略三角形のベゼルファセットを形成し、次いで隣接したベゼルファセットの間にそれぞれ２つのアッパーガードルファセットを形成して、このアッパーガードルファセットの下端縁によって上部境界線を形成したこと。
【発明の効果】
【０００８】
請求項１記載の発明によれば、上面にテーブルを有するクラウンと、下方に向けて突出状とした略錘形状のパビリオンと、このパビリオンとクラウンとの間に位置したガードルとを有する宝石において、クラウンの下端縁である上部境界線と、パビリオンの上端縁である下部境界線とを互いに略平行に配置するとともに、周方向に対して上下に蛇行させたガードルを設けたことによって、テーブル面から見た場合に表れる模様を常にシャープに表示可能とすることができる。
【０００９】
請求項２記載の発明によれば、請求項１記載の宝石において、上下にジグザグ状に蛇行させてガードルを設けたことによって、テーブル面から見た場合に表れる模様をよりシャープに表示可能とすることができる。
【００１０】
請求項３記載の発明によれば、請求項１または請求項２に記載の宝石において、パビリオンには下端側からガードル側に順次カットを行って所要のファセットを形成したことによって、周方向に対して上下に蛇行させたガードルを極めて容易に形成できる。
【００１１】
請求項４記載の発明によれば、請求項１または請求項２に記載の宝石において、パビリオンには、下端に８つの第１ファセットを放射状に形成し、次いで隣接した第１ファセットの間に２つの第２ファセットをそれぞれ形成し、次いで隣接した２つの第２ファセットによって形成される稜線部分を研磨して第３ファセットをそれぞれ形成し、次いで、隣接した第３ファセットの間に第４ファセットをそれぞれ形成し、次いで第３ファセットと第４ファセットの間にロアーガードルファセットをそれぞれ形成して、このロアーガードルファセットの上端縁によって下部境界線を形成したことによって、周方向に対して上下に蛇行させたガードルを極めて容易に形成できる。しかも、テーブル面から見た場合に表れる模様として今までに存在していなかった新規の花柄模様を生じさせることができ、そのうえ、その花柄模様を花弁が大きく開花したデザイン性の高い花柄模様とすることができる。
【００１２】
請求項５記載の発明によれば、請求項１〜４のいずれか１項に記載の宝石において、クラウンには、テーブルを取り囲むように１６の略三角形のベゼルファセットを形成し、次いで隣接したベゼルファセットの間にそれぞれ２つのアッパーガードルファセットを形成して、このアッパーガードルファセットの下端縁によって上部境界線を形成したことによって、周方向に対して上下に蛇行させたガードルを極めて容易に形成できる。
【発明を実施するための最良の形態】
【００１３】
本発明の宝石は、いわゆるブリリアンカットと呼ばれるカット形態の変容例に属するカットが施された宝石であって、上面にテーブルを有するクラウンと、下方に向けて突出状とした略錘形状のパビリオンと、このパビリオンとクラウンとの間に位置したガードルとを有する宝石において、クラウンの下端縁であるガードルの上部境界線と、パビリオンの上端縁であるガードルの下部境界線とを互いに略平行に配置するとともに、周方向に対して上下に蛇行させて配置しているものである。
【００１４】
このように、蛇行した帯状のガードルを形成することによって、テーブル面から見た場合に表れる模様を常にシャープに表示可能とすることができる。
【００１５】
特に、ガードルは、蛇行における蛇行部分を屈曲状態として、周方向に対して上下にジグザグ状に蛇行させた場合には、テーブル面から見た場合に表れる模様をよりシャープに表示可能とすることができる。
【００１６】
蛇行したガードルを形成するためには、パビリオンにおけるファセット形成において、パビリオンの下端側からガードル側に順次カットを行って所要のファセットを形成することにより、各ファセットの傾斜角を所要の角度とすることができるとともに、ガードルを周方向に対して容易に上下に蛇行させることができる。
【００１７】
したがって、花柄模様をシャープに表示刷ることができるだけでなく、花柄模様自体を所望の花柄模様とすることができ、商品の完成度を向上させることができる。
【００１８】
特に、パビリオンにおけるファセット形成において、パビリオンの下端に８つの第１ファセットを放射状に形成し、次いで隣接した第１ファセットの間に２つの第２ファセットをそれぞれ形成し、次いで隣接した２つの第２ファセットによって形成される稜線部分を研磨して第３ファセットをそれぞれ形成し、次いで、隣接した第３ファセットの間に第４ファセットをそれぞれ形成し、次いで第３ファセットと第４ファセットの間にロアーガードルファセットをそれぞれ形成することにより、テーブル面から見た場合に表れる模様を新規な模様である花柄模様とすることができ、しかも大きく開花したような花柄模様とすることができ、意匠的に優れたデザインを提供可能とすることができる。
【００１９】
さらに、クラウンにおけるファセット形成において、テーブルを取り囲むように１６の略三角形のベゼルファセットを形成し、次いで隣接したベゼルファセットの間にそれぞれ２つのアッパーガードルファセットを形成することによって、周方向に対して上下に蛇行させたガードルの形成を容易に行うことができる。
【００２０】
上記した宝石は、天然の宝石に限定されるものではなく、キュービックジルコニアなどの再結晶宝石、あるいはガラスなどのダイヤモンドのイミテーションに用いられる素材などであってもよく、それぞれの素材が有する反射率あるいは屈折率に合わせて所要の傾斜角としたファセットを形成する。
【００２１】
以下において、図面に基づいて本発明の実施形態を説明する。本実施形態では、宝石の基体としてはダイヤモンドを用いた。
【００２２】
まず、ダイヤモンドからなる基体は、図１に側面図で示すように、クラウンとなる上側錐部10とパビリオンとなる下側錐部20とをあらかじめ形成した粗研磨体としており、各ファセットの形成作業の容易化を図っている。ここで、上側錐部10にはあらかじめテーブルＴを形成している。
【００２３】
本発明では、研磨によるファセットの形成は、パビリオンとなる下側錐部20の下端側から行っており、特に、ファセット形成の研磨前に、図２に示すように、下側錐部20を８分割し、次いで８分割された下側錐部20を図３に示すように１６分割している。このようにパビリオンとなる下側錐部20をできるだけ正確に１６分割しておくことにより、ファセットの研磨精度を向上させることができる。
【００２４】
下側錐部20の１６分割にともなって、粗研磨体の下側錐部20には１６本の稜線が形成される。各稜線は下側錐部20の最下部に位置した頂部から放射状に伸延しており、説明の便宜上、これらの１６本の稜線のうち隣り合った稜線の一方を第１稜線L1、他方を第２稜線L2と呼ぶことにする。したがって、第１稜線L1と第２稜線L2は、図３に示すように、交互に配置された状態となっている。
【００２５】
下側錐部20を１６分割した後、本実施形態では、図４に示すように第２稜線L2部分を研磨することにより、下側錐部20に略四角形状の第１ファセット21を放射状に形成する。第１ファセット21は、下側錐部20の最下部において、左右に位置する他の第１ファセット21と第１稜線L1を介して接するように配置している。
【００２６】
隣接した第１ファセット21と接しない第１ファセット21の周縁には、図４に示すように、第１端縁稜線21aと第２端縁稜線21bとが形成される。
【００２７】
次いで、下側錐部20には、１つの第１稜線L1を基準としながら１つの第１ファセット21の第１端縁稜線21aまたは第２端縁稜線21bを研磨して、図５に示すように略三角形状の第２ファセット22を形成する。
【００２８】
第１端縁稜線21a及び第２端縁稜線21bの研磨は、下側錐部20の中心寄りの部分を研磨するようにしており、これにより、隣接した２つの第１ファセット21の間に２つの第２ファセット22を形成している。当然ながら、第１端縁稜線21a及び第２端縁稜線21bの研磨にともなって、第１ファセット21の一部も研磨され、第１ファセット21の面積は減少している。
【００２９】
第２ファセット22の形成後、下側錐部20には、隣接した２つの第２ファセット22の間に位置する第１稜線L1を研磨することにより、図６に示すように、略四角形状の第３ファセット23を形成する。第３ファセット23は、隣接した２つの第２ファセット22の間に配置するようにしており、特に、下側錐部20の中心寄りの第３ファセット23の端部は第１ファセット21に達しないようにして、第２ファセット22同士が第１稜線L1を介して隣接した部分が存在するようにしている。
【００３０】
また、略四角形状とした第３ファセット23の１つの角部が、パビリオンの最外縁に略達するようにしている。
【００３１】
第３ファセット23の形成後、下側錐部20には、図７に示すように、隣接した第３ファセット23の間に略四角形状の第４ファセット24をそれぞれ形成する。
【００３２】
第４ファセット24は、左右に位置する一方の第３ファセット23の角部と、他方の第３ファセット23の角部にそれぞれ角部を接するとともに、他の一つの角部がパビリオンの最外縁に略達するようにしている。これにより、第４ファセット24が第２ファセット22とも接することとなっている。
【００３３】
第４ファセット24の形成後、下側錐部20には、図８に示すように、第３ファセット23と第４ファセット24の間に略三角形状のロアーガードルファセット25をそれぞれ形成する。
【００３４】
ロアーガードルファセット25の形成は、パビリオンの最外縁に略達した第３ファセット23の端部と、第４ファセット24の端部とを基準として行い、しかも、第３ファセット23と第４ファセット24とは傾斜角が異なることにより、第３ファセット23の端部から第４ファセット24の端部にかけて登り勾配の傾斜が形成されることとなる（図１１参照）。
【００３５】
ロアーガードルファセット25の形成後、第３ファセット23の端部と第４ファセット24の端部とを略直線状に接続するようにパビリオンの外側縁を研磨して、略１６角形状のガードルＧを形成している。
【００３６】
ガードルＧの形成にともなって、直線状となったロアーガードルファセット25の外側端縁が形成され、この外側端縁がパビリオンの上端縁であって、かつガードルＧの下部境界線となっている。
【００３７】
このように、パビリオンにおける各ファセットの形成において、パビリオンの下端側からガードルＧ側に順次カットを行って所要のファセットを形成することにより、各ファセットの傾斜角を所要の角度とすることができるとともに、ガードルＧを周方向に対して容易に上下に蛇行させることができる。
【００３８】
上記したパビリオンにおけるファセットの形成後、クラウンにおけるファセットの形成を行う。
【００３９】
クラウンにおけるファセット形成においても、あらかじめ上側錐部10を８分割あるいは１６分割しておいてもよいし、パビリオンにおけるファセット形成において形成された略１６角形を基準として、図９に示すように、上側錐部10に放射状の第３稜線L3を設けてこの第３稜線L3を用いて略三角形状のベゼルファセット11を形成する。
【００４０】
ベゼルファセット11は第３稜線L3を一辺とする略三角形状であって、第３稜線L3を介して他の第３稜線L3と隣接するとともに、残りの角部を他方に隣接するベゼルファセット11の角部と接するようにしている。
【００４１】
ベゼルファセット11の形成後、このベゼルファセット11の一辺を基準とするとともに、略１６角形状となっているガードルＧの一辺とを基準として、上側錐部10には、ベゼルファセット11とガードルＧとの間に、図１０に示すように、略三角形状のアッパーガードルファセット12を形成する。
【００４２】
アッパーガードルファセット12の外側縁は、クラウンの下端縁であって、かつガードルＧの上部境界線となっているものであり、パビリオンでのロアーガードルファセット25の形成にともなって形成された下部境界線の傾斜に沿わせながら研磨を行って、上部境界線が下部境界線と略平行になるようにしながらアッパーガードルファセット12を形成している。アッパーガードルファセット12は、隣接したベゼルファセット11の間にそれぞれ２つ形成している。
【００４３】
このようにアッパーガードルファセット12を形成することにより、周方向に対して上下に蛇行させたガードルＧの形成を容易に行うことができる。
【００４４】
さらに、本実施形態では、図１０に示すように、隣接したベゼルファセット11の間のテーブルＴ側の上側錐部10を研磨することにより、スターファセット13を形成している。
【００４５】
このように、クラウン10'にベゼルファセット11と、アッパーガードルファセット12と、スターファセット13とを形成して、図１１に示すように、本発明の宝石を形成している。
【００４６】
上記したように各ファセットを形成することによって、ガードルＧを周方向に対して上下にジグザグ状に容易に蛇行させることができ、テーブル面から見た場合に表れる模様を常にシャープに表示可能とすることができる。
【００４７】
図１２は、本実施形態の宝石において、テーブル面から見た場合に表れる模様を撮影した拡大写真画像である。
【００４８】
上記したように、パビリオン20'の下端側から上端側に向けて、第１ファセット21、第２ファセット22、第３ファセット23、第４ファセット24、ロアーガードルファセット25の順で各ファセットを形成したことによって、テーブル面から見た場合に表れる模様として今までに存在していなかった新規の花柄模様を生じさせることができる。しかも、その花柄模様は、各花弁が大きく開花したデザイン性の高い花柄模様とすることができる。
【００４９】
参考として、上記した実施形態の宝石では、テーブル径を約６０％、クラウン角度を約３５°、クラウン高さを約１４％、アッパーガードル面角度を約４１°、ガードル厚さを約２．５％、スター面角度を約２８°、スター／アッパー比率を約４５／５５としている。
【００５０】
さらに、パビリオン20'における第１ファセット21の面角度を約４１°、第３ファセット23の面角度を約４３°、第４ファセット24の面角度を約４４．５°、ローワガードル面角度を約４６．５°、第３ファセット23／第４ファセット24比率を約４／５としており、第２ファセット22の面角度は、第１ファセット21の面角度と第３ファセット23の面角度との間の値となるようにしている。
【００５１】
なお、これらの値はダイヤモンドの場合に好適な値であり、ダイヤモンドと屈折率及び反射率のことなる素材を用いる場合には、その素材に適した値に調整することが望ましい。
【図面の簡単な説明】
【００５２】
【図１】粗研磨体の側面図である。
【図２】被研磨体の底面図による研磨工程の説明図である。
【図３】被研磨体の底面図による研磨工程の説明図である。
【図４】被研磨体の底面図による研磨工程の説明図である。
【図５】被研磨体の底面図による研磨工程の説明図である。
【図６】被研磨体の底面図による研磨工程の説明図である。
【図７】被研磨体の底面図による研磨工程の説明図である。
【図８】被研磨体の底面図による研磨工程の説明図である。
【図９】被研磨体の平面図による研磨工程の説明図である。
【図１０】被研磨体の平面図による研磨工程の説明図である。
【図１１】本発明に係る宝石の正面図であり、側面図及び背面図も正面図と同様に表れる。
【図１２】本発明に係る宝石をテーブル面から見た場合に表れる模様を撮影した拡大写真画像である。
【符号の説明】
【００５３】
Ｇ  ガードル
Ｔ  テーブル
L1  第１稜線
L2  第２稜線
10  上側錐部
10' クラウン
11  ベゼルファセット
12  アッパーガードルファセット
13  スターファセット
20  下側錐部
20' パビリオン
21  第１ファセット
21a 第１端縁稜線
21b 第２端縁稜線
22  第２ファセット
23  第３ファセット
24  第４ファセット
25  ロアーガードルファセット
【図１】
2006218163.tif 000003
【図２】
2006218163.tif 000004
【図３】
2006218163.tif 000005
【図４】
2006218163.tif 000006
【図５】
2006218163.tif 000007
【図６】
2006218163.tif 000008
【図７】
2006218163.tif 000009
【図８】
2006218163.tif 000010
【図９】
2006218163.tif 000011
【図１０】
2006218163.tif 000012
【図１１】
2006218163.tif 000013
【図１２】
2006218163.tif 000014